(57)【特許請求の範囲】
【請求項１】
通気性と吸液性を有する素材で、厚さ方向の一側面１０ａと他側面１０ｂに開口した多数のコア１１を有し、その厚さ方向に空気が流通するようにしたハニカム体１０と、
前記ハニカム体１０の厚さ方向における少なくとも一方の側面の全面に渡って設けられ、通気性と吸液性を有する素材から成るシート体２０と、
保持容器３０を備え、
そのハニカム体１０とシート体２０に薬剤が含浸して保持してあると共に、当該ハニカム体１０とシート体２０を前記保持容器３０で保持してハニカム体１０のコア１１を構成する各壁材１２とシート体２０を密着したことを特徴とする薬剤含浸体。
【請求項２】
シート体２０を支持する支持部を有する容器本体４０と、この容器本体４０に嵌合した押え体５０で保持容器３０とし、
前記支持部と押え体５０でハニカム体１０とシート体２０を挟持して各壁材１２とシート体２０を密着した請求項１記載の薬剤含浸体。
【請求項３】
容器本体４０の支持部に、シート体２０と対向した薬液溜め部４６と、この薬液溜め部４６に薬液を供給する注入口４７を形成した請求項２記載の薬剤含浸体。
【発明の詳細な説明】
【技術分野】
【０００１】
本発明は、害虫防除剤、芳香剤、消臭剤など、揮散性を有する薬剤を含浸して保持し、ファン式薬剤放散装置等に用いることで薬剤を大気に放散させる薬剤含浸体に関する。
【背景技術】
【０００２】
特許文献１に開示されたファン式薬剤放散装置が知られている。
このファン式薬剤放散装置は、装置本体内に送風機と薬剤含浸体と電池を設け、その送風機のファンを回転することで薬剤含浸体に空気を流通して空気とともに薬剤を大気に放散するものである。
特許文献２に開示したように、ハニカム体に薬剤を含浸して保持した薬剤含浸体が知られている。
【０００３】
【特許文献１】特許公開２００２−２９１３９２号公報
【特許文献２】特開平１１−９２３０３号公報
【発明の開示】
【発明が解決しようとする課題】
【０００４】
特許文献１に開示された薬剤含浸体は、粒状の担体に薬剤を含浸して保持したもので、通気性を有する容器内に多数の薬剤含浸体を収納して用いている。
このために、大きな容器が必要となって厚くなるので、ファン式薬剤放散装置の装置本体が厚くなってしまう。
このことを解消するために、本出願人は先にシート状の担体に薬剤を含浸して保持したシート状の薬剤含浸体を提案した。
この薬剤含浸体であれば、薄くできるから装置本体を薄くできる。
【０００５】
しかしながら、前述のシート状の薬剤含浸体は剛性が弱く、それ自体で所定の形状を維持できないので、保持容器によって薬剤含浸体の中央部と外周部と中間部を保持して所定の形状を維持している。
このために、薬剤含浸体の保持容器で保持された保持部分の面積が多く、しかも、その保持部分には空気が流通しないので、その保持部分に含浸して保持された薬剤を大気に放散できないことがあり、無駄である。
【０００６】
前述した従来のシート状の薬剤含浸体、前述したハニカム体に薬剤を含浸して保持した従来の薬剤含浸体は、ファン式薬剤放散装置に用いて使用することで、その保持していた薬剤が全て大気に放散されると使用済みとなり、その薬剤含浸体をゴミとして処理している。
このように、従来の薬剤含浸体は一度きりの使い捨てタイプで、昨今の廃棄物問題、省資源問題などの社会的事情の中、好ましくない。
【０００７】
このことを解消するために、使用済みの薬剤含浸体に再度薬剤を含浸して保持させることで未使用の薬剤含浸体とし、繰り返して使用できるようにすることが考えられる。
しかし、シート状の薬剤含浸体であれば、使用済みの薬剤含浸体に薬液を滴下して供給することで再度薬剤を含浸して保持することが可能であるが、ハニカム体は多数のコアを有する形状であるから、そのハニカム体に薬剤を再度含浸して保持させるには、大量の薬液を入れた容器内にハニカム体を浸漬したり、ハニカム体に含浸させる量以上の多量の薬液を流し続けたりすることになるので、多量の薬液が必要となると共に、薬液を処理する専用の設備が必要となる。
このために、連続して複数のハニカム体に薬剤を含浸して保持する場合（例えば、工場での製造時等）には良いが、使用者が使用済みのハニカム体に薬剤を再度含浸して保持させる場合には薬液が無駄となるし、薬液処理設備がないから薬液の処理が大変である。
【０００８】
本発明の目的は、所定の形状に維持できること、含浸して保持した薬剤を有効に大気に放散できること、使用済み後に、使用者が簡単に薬剤を再度含浸して保持できることを満足した薬剤含浸体を提供することである。
【課題を解決するための手段】
【０００９】
第１の発明は、通気性と吸液性を有する素材で、厚さ方向の一側面１０ａと他側面１０ｂに開口した多数のコア１１を有し、その厚さ方向に空気が流通するようにしたハニカム体１０と、
前記ハニカム体１０の厚さ方向における少なくとも一方の側面の全面に渡って設けられ、通気性と吸液性を有する素材から成るシート体２０と、
保持容器３０を備え、
そのハニカム体１０とシート体２０に薬剤が含浸して保持してあると共に、当該ハニカム体１０とシート体２０を前記保持容器３０で保持してハニカム体１０のコア１１を構成する各壁材１２とシート体２０を密着したことを特徴とする薬剤含浸体である。
【００１１】
第２の発明は、第１の発明において、シート体２０を支持する支持部を有する容器本体４０と、この容器本体４０に嵌合した押え体５０で保持容器３０とし、
前記支持部と押え体５０でハニカム体１０とシート体２０を挟持して各壁材１２とシート体２０を密着した薬剤含浸体である。
【００１２】
第３の発明は、第２の発明において、容器本体４０の支持部に、シート体２０と対向した薬液溜め部４６と、この薬液溜め部４６に薬液を供給する注入口４７を形成した薬剤含浸体である。
【発明の効果】
【００１３】
請求項１に係る発明によれば、シート体２０をハニカム体１０で補強して所定の形状に維持できる。
また、ハニカム体１０には空気がスムーズに流通するから、シート体２０を補強するハニカム体１０によってシート体２０に空気が流通することを阻害することがなく、そのハニカム体１０、シート体２０に含浸して保持した薬剤を有効に大気に放散できる。
【００１４】
また、ハニカム体１０、シート体２０に保持した薬剤が無くなった場合には、シート体２０に薬液を供給して全域に浸透させることで、ハニカム体１０に順次含浸する。
したがって、シート体２０に薬液を供給するだけの簡単な作業で、かつその薬液が無駄になることもなく、使用後のハニカム体１０、シート体２０に使用者が簡単に薬剤を再度含浸して保持できる。
【００１５】
また、ハニカム体１０のコア１１を構成する各壁材１２とシート体２０が密着するから、シート体２０に浸透した薬液がハニカム体１０のコア１１を構成する各壁材１２に確実に含浸し、使用済みのハニカム体１０に薬剤を確実に含浸して保持できる。
【００１６】
請求項２に係る発明によれば、容器本体４０の支持部にシート体２０を支持し、その容器本体４０と押え体５０を嵌合して連結することで、ハニカム体１０のコア１１を構成する各壁材１２とシート体２０を確実に密着できる。
【００１７】
請求項３に係る発明によれば、注入口４７から薬液溜め部４６に薬液を供給して溜めることで、溜まった薬液がシート体２０の全域に浸透するから、ハニカム体１０に薬液を供給する作業がやり易い。
【発明を実施するための最良の形態】
【００１８】
本発明の薬剤含浸体を用いて薬剤を大気に放散するファン式薬剤放散装置の一例を図１に基づいて説明する。
装置本体１内に送風機２と電池３と薬剤含浸体４を設け、その送風機２のファン２ａをモータ２ｂで回転すると、吸込口５から空気を吸い込み、その吸い込んだ空気を薬剤含浸体４を通して吐出口６から放出し、薬剤含浸体４が保持した薬剤を大気に放散する。
【００１９】
前記装置本体１の薬剤含浸体４と対向した部分１ａは開閉自在で、その薬剤含浸体４を取り出したり、取り付けたりできるようにしてある。
例えば、装置本体１を本体部７にカバー部８を開閉自在に設けたものとし、そのカバー部８を開放することで薬剤含浸体４と電池３を取り出したり、取り付けたりできるようにしてある。
【００２０】
前記薬剤含浸体４は、ハニカム体１０と、通気性と吸液性を有するシート体２０を備え、そのハニカム体１０とシート体２０に薬剤を含浸して保持してある。
【００２１】
前記ハニカム体１０は厚さ方向一側面１０ａと他側面１０ｂに開口した多数のコア１１を有し、その厚さ方向に空気が流通するようにしてある。
前記ハニカム体１０の厚さ方向における一方の側面、好ましくは空気流出側の側面（他側面１０ｂ）の全面に渡ってシート体２０が設けてある。
好ましくは、ハニカム体１０は厚さ方向の寸法が、幅方向、長さ方向の寸法よりも小さい扁平な形状、つまり、ハニカム体１０は薄く平面方向に大きい形状で、その厚さ方向に開口した多数のコア１１を有し、その空気流出側の側面の全面に渡ってシート体２０が設けてある。
前記ハニカム体１０のコア１１の形状は、前述の蜂の巣形状の他に、段ボールの波形状、円形、三角形、四角形などが例示できる。
また、前述のコア１１が積層状に成形されたものの他に、渦巻状に巻き込んだものであっても良い。このハニカム体１０の素材としては、後述するシート体２０の素材などが挙げられる。
【００２２】
このようであるから、薬剤含浸体４を薄くすることができるので、装置本体１が薄くなる。
また、シート体２０がハニカム体１０で補強されて所定の形状に維持できる。
また、ハニカム体１０には空気がスムーズに流通し、シート体２０を補強するハニカム体１０によってシート体２０に空気が流通することを阻害することがなく、そのハニカム体１０、シート体２０に含浸して保持した薬剤を有効に大気に放散できる。
【００２３】
また、図１に示すように装置本体１に取付けることで、ハニカム体１０とシート体２０に空気が流通し、前述のようにファン２ａを回転することでハニカム体１０とシート体２０に保持した薬剤が大気に放散される。
また、ハニカム体１０、シート体２０に保持した薬剤が無くなった場合には、薬剤含浸体４を装置本体１から取り出し、そのシート体２０がハニカム体１０の上となるように置き、そのシート体２０の一部分に薬液を滴下等によって供給し、その薬液をシート体２０の全域に渡って浸透させると共に、同時に、そのシート体２０からシート体２０と密着したハニカム体１０面にも浸透し、ハニカム体１０の全域に順次含浸させて保持することで、薬剤を含浸して保持した薬剤含浸体４とする。
詳しくは、前記シート体２０はハニカム体１０のコア１１を構成する厚さ方向に向かう多数の壁材１２に渡って設けてあるから、その各壁材１２に薬剤が含浸して保持される。
この薬剤含浸体４を再度装置本体１内に取り付けて薬剤を大気へ放散する。
【００２４】
前述のようにシート体２０に薬液を滴下して供給することによって、ハニカム体１０の全域に亘って薬剤を含浸して保持できるし、そのシート体２０に供給する薬液の量は、ハニカム体１０、シート体２０に含浸して保持する量に見合う値で良く、無駄にならない。
したがって、使用済みのハニカム体１０、シート体２０（つまり薬剤含浸体）に、使用者が簡単に薬剤を再度含浸して保持できる。
【００２５】
前記ハニカム体１０の厚さ方向の一方の側面（例えば、他側面１０ｂ）にシート体２０が密着し、そのシート体２０に供給された薬剤がハニカム体１０（壁材１２）にスムーズに確実に含浸する。
このようにすることで、シート体２０からハニカム体１０（壁材１２）に薬液がスムーズに確実に含浸する。
【００２６】
この実施の形態では、保持容器３０によってハニカム体１０の一方の側面（例えば、他側面１０ｂ）にシート体２０が密着してある。
前記保持容器３０は、リング形状の容器本体４０とリング形状の押え体５０を備え、この容器本体４０内に薬剤含浸体４を入れ、押え体５０を嵌合して連結することでハニカム体１０とシート体２０を挟持し、そのハニカム体１０の厚さ方向の一方の側面にシート材２０を密着している。
このようであるから、ハニカム体１０の一方の側面にシート体２０をしっかりと密着させることができる。
【００２７】
次に、薬剤含浸体４の第２の実施の形態を図２〜図４に基づいて説明する。
前記容器本体４０は、中央支持部４１と外周支持部４２を複数のステー４３で一体的に連結したもので、その隣接したステー４３と中央支持部４１と外周支持部４２との間の部分が開口して空気流通部４４を形成し、前記外周支持部４２にはリング体４５が一体的に設けてある。
前記押え体５０は、リング体４５に嵌合するリング形状である。
【００２８】
前記ハニカム体１０が、前述のリング体４５に嵌め込みされてシート体２０が中央支持部４１、外周支持部４２、ステー４３の上面に接して支持される。
前記押え体５０はリング体４５に嵌合して取付けられ、ハニカム体１０の一側面１０ａにおける外周縁に接してハニカム体１０とシート体２０の外周縁部分を挟持する。
前記中央支持部４１には支持面４１ａに開口した薬液溜め部４６を有し、その薬液溜め部４６は支持面４１ａと反対側面４１ｂに形成した注入口４７で外部に開口している。
【００２９】
このようであるから、薬剤含浸体４（保持容器３０）を装置本体１から取り出し、上下反転して注入口４７が上向きとなるように載置する。
そして、注入口４７から薬液を薬液溜め部４６内に滴下して供給することで溜める。
これによって、薬液がシート体２０の中央部分から全域に順次浸透すると共に、同時にシート体２０からシート体２０に密着したハニカム体１０面にも浸透し、ハニカム体１０の全域に順次含浸される。
【００３０】
次に、薬剤含浸体４の第３の実施の形態を説明する。
図５と図６に示すように、容器本体４０の外周支持部４２の支持面４２ａに、リング状の薬液溜め部４６を形成し、この薬液溜め部４６を注入口４７で下面に開口する。
このようにすれば、シート体２０の外周部に薬液を供給し、その薬液が中央部に向けて浸透する。
【００３１】
次に、薬剤含浸体４の第４の実施の形態を説明する。
図７と図８に示すように、容器本体４０の中央支持部４１と外周支持部４２に薬液溜め部４６と注入口４７をそれぞれ形成する。
このようにすれば、シート体２０の中央部と外周部に薬液をそれぞれ供給して外周に向けて浸透し、かつ中央に向けて浸透するから、短時間に効率良くハニカム体１０に薬剤を含浸して保持できる。
【００３２】
前述の説明では、シート体２０をハニカム体１０よりも上とし、このシート体２０の上に薬液を直接的に供給するようにしたが、これに限ることはなく、シート体２０をハニカム体１０よりも下とし、そのハニカム体１０の上からコア１１内に薬液を供給してシート体２０に供給するようにしても良い。
【００３３】
この場合には、図４、図８に示す注入口４７を形成する必要がないし、薬液溜め部４６は図４、図８に示すように深くする必要がない。
例えば、図９と図１０に示すように、中央支持部４１、外周支持部４２に浅い薬液溜め部４６を形成する。
そして、中央部のコア１１と外周部のコア１１から薬液をシート体２０の中央部と外周部に供給する。
また、薬剤を供給する注入箇所として、例えば、薬液溜め部に対面する押え部位置に目印になるリング枠を設けたり、または、注入箇所を色づけしたコアにすることもできる。
【００３４】
前述の各実施の形態では、薬剤含浸体４を、そのシート体２０側が内気側で、ハニカム体１０が外気側となるように取付けしたが、これに限ることはなく、反対であっても良い。
例えば、使用する薬剤の種類によってはシート体２０を外気側へ向け、ハニカム体１０が内気側となるように取付けても良い。
また、前述の各実施の形態では、薬剤含浸体４はハニカム体１０の一面にシート体２０を密着させたが、ハニカム体１０の両面にシート体２０をそれぞれ密着させても良い。
【００３５】
本発明に用いる薬剤含浸体４のハニカム体１０に含浸する薬剤としては、常温、送風などの条件で揮散する害虫防除剤（殺虫剤、忌避剤、害虫成長制御剤、殺ダニ剤、防虫性精油など）、芳香剤、芳香消臭剤、消臭剤、防カビ剤、除菌剤、害獣忌避剤などが挙げられる。
そして、上記の薬剤で、殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられている。
さらに、微量で効力を発揮する高活性のメトフルトリン、トランスフルトリン、エムペントリン、テラレスリン、プロフルトリンが薬剤含浸体を薄く、また小さくできることからより好ましい。
【００３６】
本発明に用いるシート体２０の素材としては、天然繊維、化学繊維、不織布（天然繊維、化学繊維、炭素繊維など）、樹脂ネット（ポリエチレン、ポリプロピレン、ポリ塩化ビニルなど）、布綿（織物、編み物）、抄紙（パルプ、リンター、合成紙など）などが例示され、シート形状、蛇腹形状、網形状、ハニカム形状、すのこ形状、格子形状などをなす成形体、又はその形状を確保する収容形状、綿状形状、スポンジ状形状などが挙げられる。
また、これらの中で、気流の通気性や薬剤の含有性に優れた不織布などからなるシート形状が好ましい。
【００３７】
本発明において、薬剤含浸体４に薬液を補給する方法としては、量表示されたスポイト式容器、適量収容されたアンプル容器、定量型容器、定量カップ付き容器などの定量容器、ノズル容器などで補給量を目視で確認しながら供給、などが挙げられる。
【００３８】
また、補給に際し、補給時期が目視で確認できれば便利であるので、従来から知られているインジケータを用い、薬剤含浸体４のハニカム体１０に含浸した薬剤が全て大気に放散された時期を表示するようにすることが好ましい。
【図面の簡単な説明】
【００３９】
【図１】本発明の薬剤含浸体を用いたファン式薬剤放散装置の断面図である。
【図２】薬剤含浸体の第２の実施の形態を示す底面図である。
【図３】薬剤含浸体の第２の実施の形態を示す平面図である。
【図４】図３のＡ−Ａ断面図である。
【図５】薬剤含浸体の第３の実施の形態を示す平面図である。
【図６】図５のＢ−Ｂ断面図である。
【図７】薬剤含浸体の第４の実施の形態を示す平面図である。
【図８】図７のＣ−Ｃ断面図である。
【図９】薬剤含浸体の第５の実施の形態を示す平面図である。
【図１０】図９のＤ−Ｄ断面図である。
【符号の説明】
【００４０】
１…装置本体、２…送風機、４…薬剤含浸体、１０…ハニカム体、１１…コア、２０…シート体、３０…保持容器、４０…容器本体、４１…中央支持部、４２…外周支持部、４３…ステー、４４…空気流通部、４６…薬液溜め部、４７…注入口、５０…押え体。
【図１】
0004771449.tif 000002
【図２】
0004771449.tif 000003
【図３】
0004771449.tif 000004
【図４】
0004771449.tif 000005
【図５】
0004771449.tif 000006
【図６】
0004771449.tif 000007
【図７】
0004771449.tif 000008
【図８】
0004771449.tif 000009
【図９】
0004771449.tif 000010
【図１０】
0004771449.tif 000011